(57)【特許請求の範囲】
【請求項１】
搬送方向に所定の間隔を隔てて突出する搬送部材を固定した搬送ベルトと、前記搬送ベルトを駆動するモータと、前記搬送ベルトに沿い前記搬送ベルトの両側上方位に配置された用紙を載置するガイド板とを備え、前記ガイド板上に順次搬入される用紙の先端を位置決め停止した前記搬送部材の後板に当接停止して一冊分の用紙を集積し、一冊分集積した用紙束の後端を、前記モータの駆動による前記搬送ベルトの移動により、次の前記搬送部材の前板に当接して前記用紙束を押し出し搬送してなる用紙搬送装置であって、前記ガイド板上に搬入された用紙を前記搬送部材の後板に当接するごと、前記駆動モータを正転、反転させ前記搬送ベルトの移動方向を前方、後方に連続して切り替え、前記搬送部材を前方および後方に往復動させて順次搬入される用紙の先端を前記搬送部材の後板で突き揃えてなることを特徴とする用紙搬送装置。
【請求項２】
搬送ベルトに係合溝を形成した固定部材を固着し、その固定部材の前記係合溝に搬送部材の係合突起を嵌め込み、前記搬送部材を前記固定部材に固定したことを特徴とする請求項１に記載の用紙搬送装置。
【発明の詳細な説明】
【０００１】
【発明の属する技術分野】
本発明は、用紙を揃えて用紙束を形成すると共に、当該用紙束を搬送する際に用いる駆動機構を簡略にして、コストを低減した用紙搬送装置に関するものである。
【０００２】
【従来の技術】
製本処理においては、印刷機等から一枚づつ出力される用紙を用紙集積部で一冊分集積して製本機に搬出する場合がある。この用紙集積部には、用紙の先端を揃えるストッパ−と、印刷機等から一枚づつ出力され順次ストッパ−の位置に給送される用紙の長さ方向の重なりを揃えるために、用紙の後端を押し出すようにして突き揃える突き揃え板と、一冊分の用紙が集積されて形成される用紙束を排出する用紙束送りロ−ラが設けられている。
【０００３】
図５は、このような用紙集積部６０を有する用紙搬送装置５０の一例を示す概略の側面図である。図５において、搬送コンベア５１は、図示しない駆動モ−タの回転軸に連結されている駆動ロ−ラ５１ａと支持ロ−ラ５１ｂ間に張架されている。
【０００４】
５２は、ソレノイド５３に連結され矢視Ｒ方向に回動するストッパ−、５４はソレノイド５３の案内棒である。５５ａ、５５ｂは、用紙束の送りロ−ラで図示しない駆動モ−タの回転軸に連結されている。５６は、駆動モ−タ５７、動力伝達機構５７ａに連結されて、駆動モ−タ５７が回転すると回転運動が直線運動に変換されて矢視Ｓ方向に往復動する突き揃え板である。
【０００５】
５８は、印刷機等から排出される用紙を用紙集積部６０に搬入する搬入部、５８ａは搬入部５８に設けられている給紙ロ−ラ、５９は用紙送りロ−ラ、６１は用紙束排出部である。次に、図５の用紙搬送装置５０の動作について説明する。用紙集積部６０に搬入される用紙のサイズが定まると、ソレノイド５３は案内棒５３に沿って矢視Ｑ方向に適宜移動してストッパ５２の位置合わせを行なう。
【０００６】
次に、搬入部５８から用紙集積部６０に搬入された用紙Ｐａは、その先端がストッパ５２により停止させられて順次集積される。この際に突き揃え板５６が矢視Ｓ方向に往復動して用紙Ｐａの後端を押し出して、各用紙Ｐａの長さ方向の重なりが揃えられるように動作する。
【０００７】
用紙集積部６０において所定枚数の用紙Ｐａが集積されて用紙束が形成されると、ソレノイド５３が動作してストッパ５２が矢視Ｒ下方向に回動し用紙束の停止状態を解除する。用紙束は、搬送ベルト５１および送りロ−ラ５５ａ、５５ｂの駆動により移動して、排出部６１より矢視Ｔ方向から次工程に搬出される。ストッパ５２はソレノイド５３の動作により矢視Ｒ上方向に回動し、次の用紙束を形成するために用紙集積部６０に搬入される用紙Ｐａの先端を停止させる。
【０００８】
【発明が解決しようとする課題】
このように、図５に示したような従来の用紙搬送装置においては、ストッパを回動するソレノイドと、ソレノイドを往復動させるモ−タと、突き揃え板を駆動するモ−タと、用紙束を搬送する送りロ−ラの駆動モ−タを必要としており、駆動機構が多いので機構が複雑になり製造コストや動力費が高くなるという問題があった。
【０００９】
本発明はこのような問題に鑑み、用紙を揃えて用紙束を形成すると共に、当該用紙束を搬送する際に用いる駆動機構を簡略にしてコストを低減した用紙搬送装置の提供を目的とする。
【００１０】
【課題を解決するための手段】
上記目的は、請求項１に係る発明において用紙搬送装置を、搬送方向に所定の間隔を隔てて突出する搬送部材を固定した搬送ベルトと、前記搬送ベルトを駆動するモータと、前記搬送ベルトに沿い前記搬送ベルトの両側上方位に配置された用紙を載置するガイド板とを備え、前記ガイド板上に順次搬入される用紙の先端を位置決め停止した前記搬送部材の後板に当接停止して一冊分の用紙を集積し、一冊分集積した用紙束の後端を、前記モータの駆動による前記搬送ベルトの移動により、次の前記搬送部材の前板に当接して前記用紙束を押し出し搬送してなる用紙搬送装置であって、前記ガイド板上に搬入された用紙を前記搬送部材の後板に当接するごと、前記駆動モータを正転、反転させ前記搬送ベルトの移動方向を前方、後方に連続して切り替え、前記搬送部材を前方および後方に往復動させて順次搬入される用紙の先端を前記搬送部材の後板で突き揃えてなる構成とすることによって達成できる。
【００１１】
また、請求項２に係る発明においては、請求項１に記載の用紙搬送装置において、搬送ベルトに係合溝を形成した固定部材を固着し、その固定部材の前記係合溝に搬送部材の係合突起を嵌め込み、前記搬送部材を前記固定部材に固定したことを特徴としている。
【００１３】
請求項１に係る発明においては、搬送ベルトに固定されている搬送部材は、用紙先端を停止させる後板で用紙の長さ方向の重なりを突き揃える作用も行なわせると共に、用紙束の後端を押圧して搬送する前板を具備している。これらの用紙先端の停止作用、用紙の突き揃え作用、用紙束の搬送作用は、搬送ベルトを駆動する駆動モ−タのみの動作で実現できるので、従来例のように、ストッパを駆動するソレノイドが不要となり、また駆動源である各種モ−タの設置個所が減少し、コストを低減することができる。
【００１５】
請求項２に係る発明においては、搬送部材を搬送ベルトに着脱自在に固定しているので、搬送部材の補修、交換等のメンテナンスが容易に行える。
【００１６】
【発明の実施の形態】
以下、本発明の実施の形態である用紙搬送装置について説明する。図１は、本発明の実施の形態である用紙搬送装置の突き揃え状態を示す側面図、図２は用紙束の送り出しの状態を示す側面図、図３は用紙搬送装置の要部を示す斜視図である。図１において、用紙搬送装置１には、用紙集積部２と表紙集積部１０が設けられている。タイミングベルト（搬送ベルト）３は、駆動モ−タ４により駆動される駆動ロ−ラ６ａと支持ロ−ラ６ｂ間に張架されている。
【００１７】
タイミングベルト３には、搬送部材５ａ、５ｂが設けられている。７は印刷機等から排出される用紙Ｐａの搬入部、７ａ、７ｂは給紙ロ−ラ、７ｘは用紙Ｐａの後端を載置して、用紙集積部２に設けられているガイド板９に水平に用紙Ｐａが移載されるように作用する補助板、８は用紙束の排出部、８ａは排紙ロ−ラである。各搬送部材５ａ、５ｂの用紙束の搬送方向からみて前方に搬送板５ｑが、後方に停止板５ｐが設けられている。
【００１８】
次に図３を参照すると、ガイド板はタイミングベルト３、３ａの左右に配置され、平板９ａと平板９ａに垂直な側板９ｒ、および平板９ｂと平板９ｂに垂直な側板９ｓで構成される。２１はガイド板の間隔調整ベルトで、連結部９ｘ、９ｙにより各ガイド板の平板９ａ、９ｂと連結されている。
【００１９】
２２は間隔調整ベルト２１の駆動モ−タ、２２ａはその出力軸に連結されているプ−リ、２２ｂは支持用プ−リである。駆動モ−タ２２を駆動して間隔調整ベルト２１を矢視Ｖ方向に適宜移動し、各ガイド板の側板９ｒ、９ｓ間の間隔を用紙の幅方向のサイズに合わせる。
【００２０】
各ガイドの平板９ａ、９ｂの位置は、図１に示すようにタイミングベルト３、３ａとは間隙を介して高い位置に設定する。用紙Ｐａが用紙集積部２に搬入されると、各用紙Ｐａの先端は搬送部材５ａの停止板５ｐにより停止する。また、用紙Ｐａが１枚搬入される毎に駆動モ−タ４を正転、反転させタイミングベルト３の移動方向を前方および後方に連続して切り替え、搬送部材５ａを矢視Ｓ方向に往復動させる。このようにして、用紙Ｐａの長さ方向の重なりの突き揃えを行なう。このように、タイミングベルト３を往復動させるために、駆動モ−タ４は例えばステッピングモ−タを使用する。
【００２１】
この際に、各ガイドの平板９ａ、９ｂの位置はタイミングベルト３、３ａとは間隙を介して高い位置に設定されているので、タイミングベルト３が前方および後方に移動方向を連続して変化させても、平板９ａ、９ｂ上に載置されている用紙Ｐａの最下部がタイミングベルト３と連動して移動することはなく、安定して用紙Ｐａの長さ方向の重なりの突き揃えを行なうことができる。
【００２２】
用紙集積部２に所定枚数の用紙Ｐａが集積されて用紙束が形成されると、次に、図２に示すようにタイミングベルト３を駆動して搬送部材５ａを用紙束Ｐｂの位置から離間させ、タイミングベルト３の反対側に設けられている搬送部材５ｂの搬送板５ｑを用紙束Ｐｂの後端に接触させる。このように、搬送部材５ａ、５ｂの位置を変えるためにタイミングベルト３を移動させた場合にも、前記したように平板９ａ、９ｂ上に載置されている用紙束Ｐｂは、タイミングベルト３の移動と連動して移動することはない。
【００２３】
搬送部材５ｂの搬送板５ｑを、用紙束Ｐｂの後端に接触させた状態でタイミングベルト３を矢視Ｕ方向に移動させると、用紙束Ｐｂは搬送部材５ｂに押されて排出部８の方向に向けて搬送される。タイミングベルト３を更に移動させて用紙束Ｐｂが搬送部材５ｂにより排出部８から排出されると、図１に示すように再度搬送部材５ａが用紙集積部２の所定の位置に移動して次の用紙束を形成するために搬入される用紙の先端を停止させる。
【００２４】
図２に示すように、一冊分の用紙束が形成されて搬送部材５ｂにより搬送されて排出部８から排出された状態から、搬送部材５ｂに代わり図１に示すように再度搬送部材５ａが用紙集積部２の所定の位置に移動する間は、新規の用紙束を形成する用紙Ｐａは、印刷機のプログラムにより印刷が止められて待機状態となっている。印刷機等からの用紙Ｐａの搬入速度よりもタイミングベルト３の移動速度を速くすることにより、前記待機時間を短縮して効率良く用紙束を形成することができる。
【００２５】
図４（ａ）は、搬送部材５ａと固定部材３ｘとの係合前の状態を示す分解斜視図、図４（ｂ）は搬送部材５ａと固定部材３ｘとを係合した状態を示す斜視図である。図４（ａ）に示すように、タイミングベルト３には係合溝３ｙを形成した固定部材３ｘを接着材等により固定する。また、搬送部材５ａの停止板５ｐに係合突起５ｘを設け、停止板５ｐと搬送板５ｑとを連結部５ｙにより連結する。
【００２６】
搬送部材５ａの停止板５ｐに設けた係合突起５ｘを、固定部材３ｘに形成した係合溝３ｙに係合し、搬送部材５ａを固定部材３ｘに固定する。このように、搬送部材５ａを固定部材３ｘに着脱自在に固定しているので、搬送部材５ａの補修、交換等のメンテナンスを容易に行なうことができる。また、搬送部材５ａを抜き出した状態で固定部材３ｘについてのメンテナンスも容易に行なえる。
【００２７】
上記の例では、タイミングベルト３に複数の搬送部材５ａ、５ｂを設け、搬送部材５ａの停止板５ｐを用いると共に、搬送部材５ｂの搬送板５ｑを用いて用紙先端の停止、用紙の長さ方向の重なりの突き揃え、用紙束の後端を押圧しての搬送を行なっている。本発明においてはこのような構成には限定されず、単一の搬送部材の停止板と搬送板を用いて上記作用を行なう構成とすることもできる。
【００２８】
【発明の効果】
以上説明したように請求項１に係る発明においては、搬送ベルトに固定されている搬送部材は、用紙先端を停止させる後板で用紙の長さ方向の重なりを突き揃える作用も行なわせると共に、用紙束の後端を押圧して搬送する前板を具備している。これらの用紙先端の停止作用、用紙の突き揃え作用、用紙束の搬送作用は、搬送ベルトを駆動する駆動モ−タのみの動作で実現できるので、従来例のように、ストッパを駆動するソレノイドが不要となり、また駆動源である各種モ−タの設置個所が減少し、コストを低減することができる。
【００２９】
また、搬送ベルトをガイド板の下部に間隙を介して配置している。このため、ガイド板の載置された用紙を移動させることなく搬送ベルトのみを移動できるので、搬送ベルトに固定された搬送部材を円滑に作動させることができる。
【００３０】
また、請求項２に係る発明においては、搬送部材を搬送ベルトに着脱自在に固定しているので、搬送部材の補修、交換等のメンテナンスが容易に行える。
【図面の簡単な説明】
【図１】本発明の実施の形態である用紙搬送装置の概略の側面図である。
【図２】本発明の実施の形態である用紙搬送装置の概略の側面図である。
【図３】図１、図２の要部を示す斜視図である。
【図４】搬送部材の斜視図である。
【図５】用紙搬送装置の従来例の側面図である。
【符号の説明】
１    用紙搬送装置
２    用紙集積部
３    タイミングベルト
４    駆動モ−タ
５ａ、５ｂ  搬送部材
５ｐ  停止板
５ｑ  搬送板
９    ガイド板
１０    表紙集積部
１１    表紙搬送路
Ｐａ    用紙
【図１】
0004169872.tif 000002
【図２】
0004169872.tif 000003
【図３】
0004169872.tif 000004
【図４】
0004169872.tif 000005
【図５】
0004169872.tif 000006